(57)【要約】【課題】有線出力部と無線出力部を備え、外部機器に対して音声信号を出力するソース機器において、いずれの出力経路で出力される音声に対しても同じ又は連動させたイコライジング処理を実行可能にする。【解決手段】ソース機器１ａは、出力対象の音声信号にイコライジング処理を施すイコライジング部１２及び／又は出力対象の音声信号に対するイコライジング処理用のパラメータを生成するパラメータ生成部と、切替部１３と、を備える。無線出力部１４は、イコライジング処理が施された後の音声信号、若しくは出力対象の音声信号及び上記パラメータを送信する。切替部１３は、（ａ）有線出力部１５，１６から出力対象の音声信号を送信する処理、（ｂ）有線出力部１５，１６からイコライジング処理が施された後の音声信号を送信する処理、のいずれの処理を行うかを切り替える。【選択図】図２
2015126460.tif 000002
【特許請求の範囲】
【請求項１】
外部機器に対して音声信号をケーブル経由で送信する有線出力部と、他の外部機器に対して音声信号を無線通信で送信する無線出力部と、を備えたソース機器であって、
出力対象の音声信号にイコライジング処理を施すイコライジング部、及び／又は、前記出力対象の音声信号に対するイコライジング処理用のパラメータを生成するパラメータ生成部を備え、
前記無線出力部は、前記他の外部機器に対して、前記イコライジング処理が施された後の音声信号、若しくは前記出力対象の音声信号及び前記パラメータを、送信し、
前記ソース機器は、（ａ）前記有線出力部から前記出力対象の音声信号を送信する処理、（ｂ）前記有線出力部から前記イコライジング処理が施された後の音声信号を送信する処理、のいずれの処理を行うかを切り替える切替部を、さらに備えたことを特徴とするソース機器。
【請求項２】
前記有線出力部と前記外部機器との有線接続、並びに前記無線出力部と前記他の外部機器との無線接続が、有効であるか無効であるかを判定する接続判定部を、さらに備え、
前記切替部は、前記接続判定部での判定結果に基づき切り替えを行うことを特徴とする請求項１に記載のソース機器。
【請求項３】
前記切替部は、前記有線接続が有効であり且つ前記無線接続が無効である場合には、前記（ａ）の処理を行うように切り替えを行い、
前記有線接続が有効であり且つ前記無線接続が有効である場合には、前記（ｂ）の処理を行うように切り替えを行うことを特徴とする請求項２に記載のソース機器。
【請求項４】
前記接続判定部での判定の変化に応じて、前記（ａ）の処理、前記（ｂ）の処理のいずれの処理を行うかを聴取者に問い合わせることを特徴とする請求項２に記載のソース機器。
【請求項５】
前記有線接続が有効であり且つ前記無線接続が有効である場合に前記（ａ）の処理、前記（ｂ）の処理のいずれの処理を行うかを、予め設定できることを特徴とする請求項２に記載のソース機器。
【請求項６】
前記無線出力部は、前記他の外部機器に対して、前記出力対象の音声信号及び前記パラメータを送信することを特徴とする請求項１〜５のいずれか１項に記載のソース機器。
【請求項７】
前記出力対象の音声信号は、非圧縮の音声信号であることを特徴とする請求項１〜６のいずれか１項に記載のソース機器。
【発明の詳細な説明】
【技術分野】
【０００１】
本発明は、音声信号を出力するソース機器に関する。
【背景技術】
【０００２】
近年、ＡＶ（Audio Visual）機器において無線通信を活用する機器が増えており、音声についてもＷｉＦｉ（登録商標。以下同様。）、ＺｉｇＢｅｅ（登録商標。以下同様。）、Ｂｌｕｅｔｏｏｔｈ（登録商標。以下同様。）、Wireless Speaker and Audio（ＷｉＳＡ；登録商標。以下同様。）等によって無線伝送することがなされている。
【０００３】
また、有線、無線に限らず、スピーカ機器から音声出力を行う際には、周波数毎のゲインを調整するいわゆる周波数イコライザが使われることがある。それは、スピーカシステムに含まれる全てのスピーカ機器に対して同じ調整が行われる。それとは別に、ルームイコライザ（ルームＥＱ）と呼ばれる機能では、周波数特性をフラットにするようスピーカ毎に異なる連動させた調整を行うことで、部屋などの特性に応じた調整を行っている。その際は、全てのスピーカ機器で連携を取った調整が必要である。
【０００４】
次に、従来の音声伝送システム（以下、従来システムと言う）の例について説明する。図１Ａで示す従来システム１００では、音声信号のソース機器としてのプレーヤ（音声再生装置）１０１の外部にイコライザ１０２がケーブル接続され、イコライザ１０２に複数のスピーカ機器（２台のスピーカ機器１０３，１０４で例示）がケーブル接続されている。プレーヤ１０１にはイコライジング機能がない。実際、High-Definition Multimedia Interface（ＨＤＭＩ；登録商標。以下同様。）ケーブル等のデジタルケーブルやアナログケーブルの出力端子を備えたプレーヤにおいては、それらのケーブル出力に対しては調整をかけず、外部のイコライザで調整することが多い。
【０００５】
イコライザ１０２は、プレーヤ１０１から受信した音声信号に対し、周波数イコライジング処理又はルームイコライジング処理といったイコライジング処理により、スピーカ機器１０３，１０４毎のイコライジング処理を施し、それぞれスピーカ機器１０３，１０４にケーブル経由で出力する。スピーカ機器１０３，１０４はいずれも、イコライザ１０２から受信したイコライジング処理後（音質調整後）の音声信号が示す音声を出力する。
【０００６】
ここで、プレーヤ１０１にイコライザ１０２を内蔵することもでき、特許文献１には、そのようなシステムが開示されている。このシステムにおいて、プレーヤ（オーディオ装置）は、サブウーファが接続されているか否かを検出し、サブウーファが接続されていた場合にイコライザによる「低音を増強する補正」を自動的にＯＦＦにしている。
【０００７】
また、ハイレゾ音源は圧縮されて無線伝送されるため、その音質は無圧縮伝送と比較して劣化するものの、無線によって音声機器を接続すると使い勝手が向上することから、高い音質が求められる高級なオーディオ機器に対しても無線化が進められている。例えば、ＷｉＳＡ  Ａｓｓｏｃｉａｔｉｏｎは、非圧縮のＰＣＭ（pulse code modulation）で音声信号を無線伝送する技術の規格化を進めている。
【０００８】
ＷｉＳＡ規格とは、音声信号を無線伝送する規格の一つである。ソース機器とスピーカ機器の両方に無線通信機を持ち、ソース機器からスピーカ機器に対してＷｉＦｉに準拠した通信プロトコルを用いて、非圧縮の音声を非圧縮のＰＣＭにて伝送するものである。また、スピーカ機器からソース機器にスピーカ機器の各仕様情報を送信できる。
ＷｉＳＡ規格の一つの仕様（実装方法）を説明する。ソース機器にはイコライザを内蔵しており、ソース機器内で、音声の特性を調整、補正する。その後、各スピーカ機器に対して、無線により、イコライジング処理後の音声を非圧縮で送信する。音声を無線受信するスピーカ機器は、受信した音声信号を加工することなく出力する。
【０００９】
図１Ｂで示す従来システム１１０は、この規格におけるシステムの例である。従来システム１１０では、プレーヤ１１１にイコライザが内蔵されており、複数の無線スピーカ機器（２台の無線スピーカ機器１１３，１１４で例示）が無線接続されている。プレーヤ１１１に内蔵されたイコライザは、音声信号に対してイコライジング処理により、無線スピーカ機器１１３，１１４毎のイコライジング処理を施し、それぞれ無線スピーカ機器１１３，１１４に無線通信で送信する。無線スピーカ機器１１３，１１４はいずれも、受信したイコライジング処理後（音質調整後）の音声信号が示す音声を出力する。このように、従来システム１１０では、プレーヤ１１１側のイコライザで音質調整を行い、無線スピーカ機器１１３，１１４では音質調整済みの音声信号をそのまま用いて再生している。
【００１０】
ＷｉＳＡの規格では、もう１つの仕様（実装方法）がある。この仕様では、使用する全チャンネルの音声信号を非圧縮、無補正（原音のまま）で、全てのスピーカ機器に対して共通データ（全チャンネル分のデータ）として送信する。スピーカ機器側は受信した全チャンネル分のデータの中から自分のチャンネルのデータを抽出することになる。このような送信方法では、スピーカ機器側でチャンネルの選択、補正（イコライジング処理等を含む）の量が任意に決められるので、外付けや内蔵イコライザで設定する場合と同様、より自由度の高い設定が可能である。このような設定は、ソース側からのパラメータを指定した指示でも実行できるようになっている。
【００１１】
図１Ｃで示す従来システム１２０は、この実装方法を採用したシステムである。従来システム１２０では、プレーヤ１２１にイコライザ用のパラメータを生成する生成部が内蔵されており、複数の無線スピーカ機器（２台の無線スピーカ機器１２３，１２４で例示）が無線接続されている。プレーヤ１２１に内蔵された生成部は、音声信号に対して周波数イコライジング処理又はルームイコライジング処理を施す場合のパラメータを、無線スピーカ機器１２３，１２４毎に生成する。プレーヤ１２１は、無線スピーカ機器１２３，１２４に対し、音声信号と共にそれぞれのパラメータを無線通信で送信する。無線スピーカ機器１２３，１２４はいずれも、周波数イコライジング処理又はルームイコライジング処理を施すイコライザを内蔵しており、受信した音声信号に対し、受信したパラメータに従ったイコライジング処理（音質調整）を施し、処理後の音声信号が示す音声を出力する。
【００１２】
このように、従来システム１２０では、プレーヤ１２１側で音質調整用のパラメータの生成を行い、無線スピーカ機器１２３，１２４ではそのパラメータに従って音質調整を行った音声信号を再生している。また、無線スピーカ機器１２３，１２４は、ＷｉＳＡ規格の受信機（無線通信機）をスピーカ部と別筐体で構成することもできる。その場合、受信機とスピーカ部とは有線接続される。そして、プレーヤ１２１がＷｉＳＡの受信機に音声信号及びパラメータを無線送信し、受信機がイコライジング処理により音質調整した後にスピーカ部にケーブル経由で送信し、スピーカ部がその音声信号が示す音声を出力する。
【００１３】
図１Ｄで示す従来システム１３０は、図１Ａの従来システム１００と図１Ｂの従来システム１１０とを混在させたシステムである。従来システム１３０では、プレーヤ１３１にイコライザが内蔵されると共に、外部にもイコライザ１３２がケーブル接続されている。また、イコライザ１３２には、１又は複数のスピーカ機器（スピーカ機器１３３で例示）がケーブル接続され、プレーヤ１３１には、１又は複数の無線スピーカ機器（無線スピーカ機器１３４で例示）が無線接続されている。
【００１４】
イコライザ１３２は、プレーヤ１３１から音声信号を受信し、スピーカ機器１３３用のイコライジング処理を施し、スピーカ機器１３３にケーブル経由で出力する。一方、プレーヤ１３１は、内蔵されたイコライザにより音声信号に対して無線スピーカ機器１３４用のイコライジング処理を施し、無線スピーカ機器１３４に無線通信で送信する。スピーカ機器１３３，１３４はいずれも、イコライザを具備せず、受信したイコライジング処理後の音声信号が示す音声を出力する。
【００１５】
図１Ｅで示す従来システム１４０は、図１Ａの従来システム１００と図１Ｃの従来システム１２０とを混在させたシステムである。従来システム１４０では、プレーヤ１４１にはイコライザ用のパラメータを生成する生成部が内蔵されており、外部にイコライザ１４２がケーブル接続されている。また、イコライザ１４２には、１又は複数のスピーカ機器（スピーカ機器１４３で例示）がケーブル接続され、プレーヤ１４１には、１又は複数の無線スピーカ機器（無線スピーカ機器１４４で例示）が無線接続されている。
【００１６】
イコライザ１４２は、プレーヤ１３１から音声信号を受信し、スピーカ機器１４３用のイコライジング処理を施し、スピーカ機器１４３にケーブル経由で出力する。スピーカ機器１４３は、受信したイコライジング処理後の音声信号が示す音声を出力する。一方、プレーヤ１４１は、生成部により音声信号に対して無線スピーカ機器１４４用のイコライジング処理のパラメータを生成し、音声信号と共にそのパラメータを無線スピーカ機器１４４に無線通信で送信する。無線スピーカ機器１４４は、イコライザを内蔵しており、受信した音声信号に対し、受信したパラメータに従ったイコライジング処理を施し、処理後の音声信号が示す音声を出力する。
【００１７】
また、特許文献２には、イコライザと経路切換部とを備えた非常放送設備用スピーカ特性補正装置において、経路切換部が、報知信号を検出したとき、音声信号入力部から音声信号出力部までの信号経路を、イコライザを経由する経路からイコライザを迂回する経路に切り換えることが開示されている。
【００１８】
また、特許文献３には、複数のオーディオソース入力端子と、マイク音声入力端子と、マイク音声入力端子から入力された音声信号に対して所定の信号処理を行う音声信号処理部と、を備えたオーディオアンプにおいて、複数のオーディオソース入力端子のうち特定のオーディオソース入力端子から信号が入力されたか否かを検出し、入力を検出したとき音声信号処理部の機能を変更すべく制御することが開示されている。
【先行技術文献】
【特許文献】
【００１９】
【特許文献１】特開２００６−１５７５９７号公報
【特許文献２】特開２００８−０２２５０８号公報
【特許文献３】特開２０１０−０７２２７０号公報
【発明の概要】
【発明が解決しようとする課題】
【００２０】
しかしながら、有線出力と無線出力とが混在した従来システム１３０，１４０の場合、有線側と無線側とで異なるイコライザを使用しているため、バランスを取るためには無線側に合わせて有線側のパラメータを変更するか若しくは有線側に合わせて無線側のパラメータを変更する必要があり、整合を取るのが難しい。
【００２１】
周波数イコライザを例に整合の困難さについて説明する。周波数イコライザでは特定の周波数に対してゲインを設定する。従って、異なる周波数イコライザを使用した場合、両者のＱ値が同じでない場合には同じ処理結果が得られず、喩えＱ値が同じであったとしても内部でのフィルタリングの実現方法の違いにより同じ処理結果が得られない。さらに、周波数イコライザは、そのフィルタ特性にも複数の種類があり、同じフィルタ特性であるとは限らず、この点からも整合が取り難いのが分かる。
【００２２】
２つのイコライザの特性を一致させるための従来の具体的な作業は、それぞれのイコライザを用いたときの音声を比較し、ユーザの感覚で、各イコライザのパラメータを調整し再度音声を比較する作業を、繰り返すものとなる。そのため、作業が迂遠であり、時間もかかってしまうし、最終的に同一の特性にすることは困難である。
【００２３】
本発明は、上述のような実状に鑑みてなされたものであり、その目的は、有線出力部と無線出力部の双方を備え、外部機器に対して音声信号を出力するソース機器において、いずれの出力経路で出力される音声に対しても、同じ又は連動させたイコライジング処理を行うことを可能にすることにある。
【課題を解決するための手段】
【００２４】
上記の課題を解決するために、本発明の第１の技術手段は、外部機器に対して音声信号をケーブル経由で送信する有線出力部と、他の外部機器に対して音声信号を無線通信で送信する無線出力部と、を備えたソース機器であって、出力対象の音声信号にイコライジング処理を施すイコライジング部、及び／又は、前記出力対象の音声信号に対するイコライジング処理用のパラメータを生成するパラメータ生成部を備え、前記無線出力部は、前記他の外部機器に対して、前記イコライジング処理が施された後の音声信号、若しくは前記出力対象の音声信号及び前記パラメータを、送信し、前記ソース機器は、（ａ）前記有線出力部から前記出力対象の音声信号を送信する処理、（ｂ）前記有線出力部から前記イコライジング処理が施された後の音声信号を送信する処理、のいずれの処理を行うかを切り替える切替部を、さらに備えたことを特徴としたものである。
【００２５】
本発明の第２の技術手段は、第１の技術手段において、前記有線出力部と前記外部機器との有線接続、並びに前記無線出力部と前記他の外部機器との無線接続が、有効であるか無効であるかを判定する接続判定部を、さらに備え、前記切替部は、前記接続判定部での判定結果に基づき切り替えを行うことを特徴としたものである。
【００２６】
本発明の第３の技術手段は、第２の技術手段において、前記切替部は、前記有線接続が有効であり且つ前記無線接続が無効である場合には、前記（ａ）の処理を行うように切り替えを行い、前記有線接続が有効であり且つ前記無線接続が有効である場合には、前記（ｂ）の処理を行うように切り替えを行うことを特徴としたものである。
【００２７】
本発明の第４の技術手段は、第２の技術手段において、前記接続判定部での判定の変化に応じて、前記（ａ）の処理、前記（ｂ）の処理のいずれの処理を行うかを聴取者に問い合わせることを特徴としたものである。
【００２８】
本発明の第５の技術手段は、第２の技術手段において、前記有線接続が有効であり且つ前記無線接続が有効である場合に前記（ａ）の処理、前記（ｂ）の処理のいずれの処理を行うかを、予め設定できることを特徴としたものである。
【００２９】
本発明の第６の技術手段は、第１〜第５のいずれか１の技術手段において、前記無線出力部は、前記他の外部機器に対して、前記出力対象の音声信号及び前記パラメータを送信することを特徴としたものである。
【００３０】
本発明の第７の技術手段は、第１〜第６のいずれか１の技術手段において、前記出力対象の音声信号は、非圧縮の音声信号であることを特徴としたものである。
【発明の効果】
【００３１】
本発明によれば、有線出力部と無線出力部の双方を備え、外部機器に対して音声信号を出力するソース機器において、いずれの出力経路で出力される音声に対しても、同じ又は連動させたイコライジング処理を行うことができる。
【図面の簡単な説明】
【００３２】
【図１Ａ】従来の音声伝送システムの一例を示すブロック図である。
【図１Ｂ】従来の音声伝送システムの他の例を示すブロック図である。
【図１Ｃ】従来の音声伝送システムの他の例を示すブロック図である。
【図１Ｄ】従来の音声伝送システムの他の例を示すブロック図である。
【図１Ｅ】従来の音声伝送システムの他の例を示すブロック図である。
【図２】本発明の第１の実施形態に係る音声伝送システムの一構成例を示すブロック図である。
【図３】フィルタの中心周波数に対する変動幅の一例を説明するための図である。
【図４】本発明の第２の実施形態に係る音声伝送システムの一構成例を示すブロック図である。
【図５】本発明の第３の実施形態に係る音声伝送システムの一構成例を示すブロック図である。
【図６】本発明の第４の実施形態に係る音声伝送システムの一構成例を示すブロック図である。
【図７】本発明の第５の実施形態に係る音声伝送システムの一構成例を示すブロック図である。
【図８】本発明の第６の実施形態に係る音声伝送システムの一構成例を示すブロック図である。
【発明を実施するための形態】
【００３３】
本発明に係るソース機器は、外部機器に対して音声信号を出力する機器（音声出力装置）である。ここで、外部機器とは、スピーカ機器又はスピーカ機器に接続されたアンプ機器等の機器を指す。また、このソース機器と、スピーカ機器（又は、アンプ機器や音声受信機等の機器とスピーカ機器）とを備えたシステムを、本発明に係る音声伝送システムと呼ぶ。
【００３４】
本発明に係るソース機器としては、ＣＤ（Compact Disc）プレーヤ、ＳＡＣＤ（Super Audio CD）プレーヤ、ＢＤ（Blu-ray Disc；登録商標）プレーヤ、ＨＤＤ（Hard disk drive）プレーヤなどの各種音声再生装置や、テレビ装置、ＰＣ（Personal Computer）などが挙げられる。ここで、音声再生装置としては、ネットワーク上のサーバに格納された楽曲ファイルをネットワーク経由で受信し、スピーカ機器に無線伝送するようなネットワークプレーヤも挙げられる。また、いずれのソース機器においても、スピーカ機器の一部を内蔵してもよい。例えば、テレビ装置にセンタースピーカを表示部の筐体に具備しておき、他のチャンネル用のスピーカを上記スピーカ機器として別筐体で配置することができる。以下、図面を参照しながら、本発明に係るソース機器及び音声伝送システムの様々な実施形態について説明する。
【００３５】
（第１の実施形態）
本発明の第１の実施形態について、図２及び図３を参照しながら説明する。図２は、本発明の第１の実施形態に係るソース機器を備えた音声伝送システムの一構成例を示すブロック図で、図３は、フィルタの中心周波数に対する変動幅の一例を説明するための図である。なお、図３は、縦軸にゲイン、横軸に周波数をとり、横軸を対数目盛とした片対数グラフである。
【００３６】
本構成例は、図２で例示するように、ソース機器１ａ、スピーカ機器３，４、無線スピーカ機器２ａから構成されている。ソース機器１ａは、音声コンテンツの再生、音声信号の一部へのイコライジング、各スピーカ機器への有線、無線による音声出力を行う。スピーカ機器３，４は有線でソース機器１ａと接続され、それぞれスピーカ部３４，４４による音声出力を行う。無線スピーカ機器２ａは、ソース機器１ａと無線接続され、スピーカ部２４による音声出力を行う。
【００３７】
ソース機器１ａの構成を説明する。ソース機器１ａは、制御部１０、音声再生部１１、イコライジング部１２、切替部１３、無線出力部１４、有線出力部１５，１６、及び操作部１７を備える。
【００３８】
制御部１０は、ソース機器１ａ全体を制御する部分であり、操作部１７からの入力に応じて切替部１３の制御も行う。制御部１０は、例えばＣＰＵ（Central Processing Unit）等で構成されるマイクロプロセッサなどが挙げられる。なお、制御部１０は、音声再生部１１、イコライジング部１２、無線出力部１４、有線出力部１６を制御し、場合によってはアナログ用の有線出力部１６も制御するが、図２ではその制御線を省略している。
【００３９】
音声再生部１１は、出力対象の音声信号を再生する部分であり、具体的には音声コンテンツを筺体内のメディアや外部のデータを元にデコードし再生する部分である。このデコーダは、圧縮されたＰＣＭ方式の音声信号を外部から受信してデコードし、非圧縮のＰＣＭ方式の音声信号に変換する。また、デコード対象の音声信号は、外部から受信する代わりに、ソース機器１ａ内の記憶装置やソース機器１ａに搭載した可搬記録媒体から読み出してもよい。なお、ソース機器１ａは、音声再生部１１を備えず、例えば非圧縮のＰＣＭ方式の音声信号を外部から受信するように構成することもできる。
【００４０】
イコライジング部１２は、出力対象の音声信号（音声再生部１１で再生された音声信号）にイコライジング処理を施す部位であり、具体的には元の音声データを周波数毎にゲインや位相を補正する部分である。このイコライジング処理としては、周波数イコライジング処理（周波数イコライザによる処理）やルームイコライジング処理（ルームイコライザによる処理）が挙げられる。
【００４１】
イコライジング部１２の中の周波数イコライザは、全てのスピーカ機器に対して、同じ調整（共通の調整）を行う。例えば、Ｂｉｑｕａｄ  ｆｉｌｔｅｒのうちｂａｎｄ  ｐａｓｓ特性を持つものを８個使う。ここで、１個のＢｉｑｕａｄ  ｆｉｌｔｅｒの特性を決めるために、中心周波数、Ｑ値、ゲインといった３つのパラメータが使用され、これらのパラメータによって音質調整を変更できる。このような音質調整は、ユーザ操作に応じて実行することもできる。
【００４２】
上記中心周波数としては、例えば６３Ｈｚ，１２５Ｈｚ，２５０Ｈｚ，５００Ｈｚ，１０００Ｈｚ，２０００Ｈｚ，４０００Ｈｚ，８０００Ｈｚなどが挙げられる。上記ゲインは、中心周波数に対する値をｄＢ単位で指定するものであり、これにより、何ｄＢのゲイン（又はロス）にするかが指定される。例えば−１０ｄＢから１０ｄＢまで１ｄＢ毎の値を指定可能にしておけばよい。
【００４３】
上記Ｑ値は、変動幅を表す値であり、例えば次に説明するようなオクターブ値を使用することもできる。ここで、オクターブ値とは、半値全幅、つまりゲインがｄＢ単位で半分になる区間の幅として定義する。図３の例では、中心周波数９００Ｈｚについてゲインが半分になる区間の幅は、符号６で示す通り２オクターブあり、オクターブ値として「２」を使用する。オクターブ値としては、例えば０から４まで０．１毎の値を指定可能にしておけばよい。なお、各パラメータはここで説明した例に限らず、自由に設定できる。
【００４４】
イコライジング部１２の中の周波数イコライザは、このようなパラメータにより、周波数帯域毎の特性を変更することができる。また、周波数イコライザでは、フィルタ毎のパラメータ特性をプリセットとして持つことができる。また、Ｊａｚｚ、Ｃｌａｓｓｉｃなど、プリセットにその特徴に応じた名前を付すこともできる。
【００４５】
また、イコライジング部１２の中のルームイコライザは、スピーカ毎に、異なる特性を設定するものであり、例えばＢｉｑｕａｄ  ｆｉｌｔｅｒを１６個使って、スピーカ機器毎の調整を行い、場合によってはスピーカ毎に遅延時間を設定することもある。ここで、１個のＢｉｑｕａｄ  ｆｉｌｔｅｒの特性を決めるために、中心周波数、Ｑ値、ゲイン、フィルタ特性（ｂａｎｄ  ｐａｓｓ，ｓｈｅｌｆ型など）といった４つのパラメータが使用される。
【００４６】
有線出力部１５，１６は、外部機器に対して音声信号をケーブル経由で送信する。このうち有線出力部１５は、アナログ出力の音声出力部であり、Ｄ／Ａコンバータ（以下、ＤＡＣと言う）１５ａを内蔵し、デジタル音声信号をＤＡＣ１５ａでアナログ音声信号とし、出力する。有線出力部１６は、デジタル出力の音声出力部であり、ソース機器１ａ内のデジタル音声信号をそのまま、外部に出力する。
【００４７】
無線出力部１４は、無線機器である他の外部機器と通信する部分であり、無線通信部とも呼べる。無線出力部１４は、上記他の外部機器に対してデジタル音声信号を無線通信で送信すると共に、上記他の外部機器と付帯情報等のやり取りも行う。上述したように、外部機器や他の外部機器は、スピーカ機器又はスピーカ機器が接続されたアンプ機器や音声受信機等の機器（音響関連機器）である。以下、外部機器、他の外部機器について、区別のため、それぞれを有線外部機器、無線外部機器と呼ぶ。
【００４８】
操作部１７は、ユーザからユーザ操作による入力を受け付ける部分であり、例えばソース機器１ａの筐体に設けた操作ボタンや操作レバーが挙げられる。また、ユーザに操作を促すガイダンスの表示を、別途設けた表示部で行うようにしてもよい。
【００４９】
切替部１３は、有線出力部１５，１６への音声出力を切り替える部分である。切替部１３での切替により、音声再生部１１で再生されたオリジナルの音声とイコライジング部１２を通った音声のいずれかを選択する。
【００５０】
次に、無線スピーカ機器２ａの構成を説明する。無線スピーカ機器２ａは、無線入力部２１、ＤＡＣ２２、アンプ部（ＡＭＰ）２３、及びスピーカ部２４を備える。また、図示しないが、スピーカ機器２ａは、その全体を制御する制御部を備える。この制御部は、例えばＣＰＵ等で構成される。
【００５１】
無線入力部２１は、ソース機器１ａと無線通信する部分であり、無線通信部とも呼べる。無線入力部２１は、ソース機器１ａの無線出力部１４から出力されたデジタル音声信号を受信すると共に、ソース機器１ａと付帯情報等のやり取りも行う。ＤＡＣ２２は、受信したデジタル音声信号をアナログ音声信号に変換し、ＡＭＰ２３は、そのアナログ音声信号を増幅する。スピーカ部２４は、増幅された音声信号が示す音声を出力する部分であり、ＡＭＰ２３からの出力に応じて音は発生させる。
【００５２】
次に、スピーカ機器３，４の構成を説明する。スピーカ機器３は、有線入力部３１、ＡＭＰ３３、及びスピーカ部３４を備える。有線入力部３１は、有線出力部１５から出力された音声信号を受信する。ＡＭＰ３３は受信したアナログの音声信号を増幅し、スピーカ部３４は増幅された音声信号が示す音声を出力する。
【００５３】
スピーカ機器４は、有線入力部４１、ＤＡＣ４２、ＡＭＰ４３、及びスピーカ部４４を備える。有線入力部４１は、有線出力部１６から出力された音声信号を受信する。ＤＡＣ４２は受信した音声信号をアナログ信号に変換し、ＡＭＰ４３はそのアナログ信号を増幅し、スピーカ部４４は増幅された音声信号が示す音声を出力する。また、図示しないが、スピーカ機器４も無線スピーカ機器２ａと同様にその全体を制御する制御部を備える。
【００５４】
次に、本構成例における動作を説明する。
まず、無線スピーカ機器２ａを接続していない場合を説明する。ソース機器１ａとスピーカ機器３，４の間に有線スピーカ専用の外部イコライザ（図示せず）を接続する。切替部１３は、音声再生部１１側に切り替える。切り替えは操作部１７の操作レバー等の設定を制御部１０が読み取り、その設定に応じて切替部１３を制御する。音声信号は、音声再生部１１からイコライジング部１２を介さず、直接切替部１３に入り、有線出力部１５，１６から出力される。この音声信号は、上記外部イコライザで補正され、スピーカ機器３，４に入力され、スピーカ部３４，４４から音声として出力される。
【００５５】
次に、無線スピーカ機器２ａを接続した場合を説明する。無線スピーカ機器２ａへの音声入力信号は、ソース機器１ａ内のイコライジング部１２で補正された音声信号である。
ユーザは、スピーカ機器３，４に対するイコライジング処理と無線スピーカ機器２ａのイコライジング処理とを合わせるため、上記外部イコライザを外し、操作部１７の操作レバーを操作して、切替部１３をイコライジング部１２側に切り替える。この切り替えによって、スピーカ機器３，４ともソース機器１ａ内のイコライジング部１２による補正を受けた音声信号を用いることができる。
【００５６】
このように、本実施形態における切替部１３は、（ａ）有線出力部１５，１６から出力対象の音声信号を送信（出力）する処理、（ｂ）有線出力部１５，１６からイコライジング処理が施された後の音声信号を送信（出力）する処理、のいずれの処理を行うかを切り替える。すなわち、切替部１３では、有線出力部１５，１６に入力する音声信号に対してイコライジング処理を施すか否かを切り替える。
【００５７】
このような構成とすることによって、有線接続側について外部イコライザを用いるルートと無線接続側と同じイコライジング処理を施せるようなルートを適宜切り替えることができる。よって、このような構成により、有線スピーカ機器のみの場合は外部イコライザを用いることができ、無線スピーカ機器と有線スピーカ機器を同時に用いる場合は全てスピーカを一つのイコライジング部で補正できるので、調整が容易となる。
【００５８】
以上、本実施形態によれば、有線出力部と無線出力部の双方を備え、有線外部機器や無線外部機器に対して音声信号を出力するソース機器において、いずれの出力経路で出力される音声に対しても、上記（ｂ）の処理により同じ又は連動させたイコライジング処理を行うことができる。つまり、本実施形態のソース機器によれば、有線接続と無線接続が混在するような構成を採用した場合でも、意図したイコライジング効果を容易に得ることができる。
【００５９】
以上、図２に基づき構成及び動作の説明をしたが、以下のような変更を行ってもよい。
音声再生部１１、イコライジング部１２は、例えばＤＳＰ（Digital Signal Processor）として構築することもでき、切替部１３（上記の例では操作ボタンや操作レバーを除く部分）はこのＤＳＰに含めることもできる。また、制御部１０は、このＤＳＰを含めたソース機器１ａの全体の制御を行えばよい。
【００６０】
また、図２では、説明の簡略化のため、ソース機器１ａと２台のスピーカ機器３，４との有線接続（ケーブル接続）が可能な機器を例示しており、そのため、ソース機器１ａに２つの有線出力部１５，１６を備えた例を挙げた。しかし、有線出力部はケーブル経由で同時に接続させる有線外部機器の数だけ設けておけばよく、ケーブルの種類（規格）も考慮して設けておけばよい。無線出力部については、採用する無線通信方式の数だけ設けておけばよい。
【００６１】
また、無線通信部１４としては、例えばＷｉＳＡ  Ａｓｓｏｃｉａｔｉｏｎで規格化を進めている、デジタル音声信号を出力する送信側のモジュール（無線出力インターフェイス）が適用できる。その場合、無線通信部２１としてはその受信側のモジュールが適用できる。また、有線出力部１６としては、例えば、ＨＤＭＩ規格やＳ／ＰＤＩＦ（Sony Philips Digital Interface）規格などに従ったデジタルの音声信号を出力する出力インターフェイスが適用できる。
【００６２】
また、図２では、スピーカ部２４，３４，４４が無線入力部２１や有線入力部３１，４１等の他の部位と同じ筐体にあるように例示したが、これに限らず、スピーカ機器２ａ，３，４のいずれか１又は複数において、スピーカ部を別の筐体として構成してもよい。その場合、無線入力部２１（又は有線入力部３１，４１）を有する筐体側で通信を行うことになり、スピーカ部２４を有する筐体側とは有線ケーブルで接続しておけばよい。また、筐体の分け方も、ＤＡＣとそれより後段とで分けてもよいし、その場合、ＡＭＰとスピーカ部とでさらに分けてもよい。これにより、様々な配置に対応することができる。
【００６３】
（実際のスピーカの構成例）
図２の構成例では、スピーカ機器２ａ，３，４にはそれぞれ１つのスピーカ部２４，３４，４４を備えた例を挙げているが、各スピーカ機器におけるスピーカ部の数は、これに限ったものではない。結局のところ、聴取者（ユーザ）は、必要とするチャンネル数と少なくとも同じ数のスピーカ部が音声伝送システム内に含まれるように、有線外部機器及び／又は無線外部機器を接続すればよい。また、スピーカ機器２ａ，３，４のそれぞれに具備されるスピーカ部はフルレンジのスピーカ部に限ったものではなく、例えば１つのスピーカ機器にトゥイータ、ミッドレンジ、ウーファ用に３つのスピーカ部を備えることもできる。
【００６４】
５．１ｃｈ音声を出力する音声伝送システムを例に挙げて説明する。第１のシステム構成例として、ソース機器１ａに５台のスピーカ機器２ａ（１台のみ図示）と１台のスピーカ機器３を接続したシステムを採用することができる。この場合、左フロントチャンネル（Ｌｃｈ）／右フロントチャンネル（Ｒｃｈ）／センターチャンネル（Ｃｅｎｔｅｒｃｈ）／左リア（左サラウンド）チャンネル（ＬＳｃｈ）／右リアチャンネル（ＲＳｃｈ）の音声信号をそれぞれ５台のスピーカ機器２ａに出力し、低域効果音の音声信号をサブウーファとして設けたスピーカ機器３に出力する。なお、サブウーファを除くスピーカ機器のそれぞれは、上述したトゥイータ、ミッドレンジ、ウーファ用に３つのスピーカ部で構成することもでき、これは後述の第２〜第４のシステム構成例でも同様である。
【００６５】
第２のシステム構成例として、ソース機器１ａに３台のスピーカ機器２ａ（１台のみ図示）と２台のスピーカ機器４（１台のみ図示）と１台のスピーカ機器３とを接続したシステムを採用することもできる。この場合、Ｌ／Ｒ／Ｃｅｎｔｅｒの音声信号を３台のスピーカ機器２ａに出力し、ＬＳ／ＲＳの音声信号を２台のスピーカ機器４に出力し、低域効果音の音声信号をサブウーファとしてのスピーカ機器３に出力すればよい。
【００６６】
第３のシステム構成例として、単に、５つのスピーカ部を設けた１台のスピーカ機器２ａと１台のスピーカ機器４とをソース機器１ａに接続したシステムを採用することもできる。その場合、ソース機器１ａからスピーカ機器２ａにＣｅｎｔｅｒ以外の音声信号を出力し、スピーカ機器４にＣｅｎｔｅｒの音声信号を出力すればよい。例えば、ソース機器１ａがテレビ装置の場合には、このようにセンターチャンネル用のスピーカ機器４だけソース機器１ａと同じ筐体に設けて有線伝送すればよい。
【００６７】
なお、ユーザによっては有線接続無しでシステムを構築する場合もある。つまり、第４のシステム構成例として、単に、６つのスピーカ部を設けた１台のスピーカ機器２ａとソース機器１ａとを接続したシステムを採用することもできる。その場合、ソース機器１ａからスピーカ機器２ａに５．１ｃｈ音声信号を出力すればよい。ここで、スピーカ機器２ａの代わりに、６つのスピーカ部を備えたスピーカ機器３又はスピーカ機器４を設けてもよい。
【００６８】
第１〜第４のシステム構成例のいずれにおいても、また他のシステム構成例においても、無線出力部１４から複数チャンネルの音声信号を出力する場合には、複数チャンネルの音声信号は、区分けされることなく共通のデータとして一括でブロードキャスト的又はマルチキャスト的に送信することができる。その場合、スピーカ機器２ａは、共通のデータとして送信された複数チャンネルの音声信号の中から、必要なチャンネルの音声信号を取得（抽出）し、後段に出力すればよい。第１，第２のシステム構成例では、各スピーカ機器２ａが自身で再生させる所定チャンネルの音声信号を抽出すればよく、第３のシステム構成例では、全ての音声信号を抽出し、後段の６つのスピーカ部のそれぞれへと続く経路に各チャンネルの音声信号を分ければよい。
【００６９】
（マイクによる調整例）
イコライジング部１２の中のルームイコライザは、スピーカ機器毎に異なる調整を行う。例えば、イコライジング部１２に図示しないマイク入力部を接続し、ソース機器１ａの設置環境をマイク入力部からの入力により判別し、設置環境に応じたルームイコライジング処理を実行することもできる。つまり、ルームイコライジング処理による音質調整は、環境特性情報に応じて各チャンネルの音声信号を送信前に補正するものである。上記環境特性情報は、マイク入力部から入力された入力音に基づき、若しくはこの入力された入力音とチャンネルを示す情報などとに基づき、各スピーカ機器の設置環境（聴取環境）の特性を示す情報として、イコライジング部１２で算出するようにすればよい。
【００７０】
ルームイコライザとしては、例えばＢｉｑｕａｄ  ｆｉｌｔｅｒを１６個使って、スピーカ機器毎の調整を行い、場合によってはスピーカ毎に遅延時間を設定することもある。ここで、１個のＢｉｑｕａｄ  ｆｉｌｔｅｒの特性を決めるために、中心周波数、Ｑ値、ゲイン、フィルタ特性（ｂａｎｄ  ｐａｓｓ，ｓｈｅｌｆ型など）といった４つのパラメータが使用され、これらのパラメータによって音質調整を変更できる。
【００７１】
また、周波数イコライザやルームイコライザで用いるフィルタとしては、Ｂｉｑｕａｄ  ｆｉｌｔｅｒに限らず、例えば時間を遅延させる遅延フィルタや、ＦＩＲ（Finite Impulse Response）フィルタ、ＩＩＲ（Infinite Impulse Response）フィルタなどの他種のフィルタであってもよい。
【００７２】
（他の切替方法）
操作レバーで切替部１３を操作する処理の代替処理として、ソース機器１ａに表示部を設けると共に、この表示部と操作部１７でユーザインターフェース（ＵＩ）部を構成し、このＵＩ部によりユーザ操作を受け付けるようにしてもよい。この場合、表示部には、上記（ｂ）の処理と上記（ａ）の処理のいずれを実行させるか（つまりイコライザのＯＮ／ＯＦＦ）を選択するためのメニュー画像等のＵＩ画像を表示させ、操作部１７からのユーザ操作を受け付ければよい。制御部１０は、このユーザ操作に従い、切替部１３を制御する。
【００７３】
なお、この処理においても操作レバー等を用いる場合と同様に、ユーザは有線のみで出力させたい場合には有線出力部１５が音声再生部１１側と接続するように操作し、無線と有線の双方から出力させたい場合には有線出力部１５がイコライジング部１２側と接続するように操作し、前者の場合にはソース機器１ａと有線スピーカ機器との間に外部イコライザを接続すればよい。また、操作部１７としては、ソース機器１ａの本体に設けられた操作ボタンの他、リモートコントローラからの操作信号を受信する受信部を採用することもできる。なお、ソース機器１ａがテレビ装置などの表示パネルを具備する場合には、上記表示部としてこの表示パネルを利用すればよい。
【００７４】
このようにして、切替部１３における上述のような切り替えを操作部１７から手動で行うことができる。従って、有線出力部１５，１６からの出力について、無線出力部１４からの出力と合わせるようにイコライジング処理するのか、原音のまま出力するのかを、ユーザが決定し、ユーザ操作により行うことができる。そして、前者が選ばれた場合、いずれの出力経路で出力される音声に対しても同じ周波数イコライジング処理や連動させたルームイコライジング処理を行うことができ、有線出力部１５，１６にイコライザを接続する必要もなくなる。
【００７５】
また、切替部１３を、スピーカ機器３，４のそれぞれに出力する音声信号に関し、イコライジング処理の有無が個別に設定できるように構成すること、つまり複数の有線出力部（有線出力部１５，１６で例示）のそれぞれに対して別々に切替部１３を接続しておくこともできる。その場合、上記ＵＩ画像では有線出力部毎にイコライザのＯＮ／ＯＦＦを切り替えることを可能にしておけばよい。
【００７６】
（第２の実施形態）
本発明の第２の実施形態について、図４を参照しながら説明する。図４は、本実施形態に係るソース機器を備えた音声伝送システムの一構成例を示すブロック図である。なお、本実施形態について、第１の実施形態との相違点を中心に説明するが、その他の部分については基本的に第１の実施形態と同様である。
【００７７】
本実施形態におけるソース機器１ｂは、イコライジング部１２ａを有すると共に、出力対象の音声信号に対するイコライジング処理用のパラメータを生成するパラメータ生成部１２ｂを有する。スピーカ機器２ｂ内のイコライジング部２５がソース機器１ｂ内のイコライジング部１２ａと同じ仕様のものであれば、このパラメータとしては、イコライジング部１２ａで実行されるイコライジング処理（周波数イコライジング処理やルームイコライザによる処理）で音質調整を変更するためのパラメータとして使用したものを、そのまま使用することができる。設定内容は、第１の実施形態で挙げたように、フィルタの中心周波数、Ｑ値、ゲイン等である。
【００７８】
また、スピーカ機器２ｂ内のイコライジング部２５の仕様が、ソース機器１ｂ内のイコライジング部１２ａの仕様と異なる場合は、以下の手順でイコライジング部２５用のパラメータを生成する。まず、ソース機器１ｂがスピーカ機器２ｂに対して、イコライジング部２５の仕様情報を要求し、スピーカ機器２ｂは、仕様情報を返信する。次に、パラメータ生成部１２ｂは、現在のイコライジング部１２ａ用のパラメータから推定される音声特性を算出する。最後にイコライジング部２５の仕様で、同様の音声特性になるパラメータを算出する。このように、ソース機器１ｂとスピーカ機器２ｂのイコライジング部の仕様が異なっても、同様の音声特性を実現できる。
【００７９】
ルームイコライジング処理に関して補足すると、上述したマイク入力部は、このパラメータ生成部１２ｂにも接続されることになる。パラメータ生成部１２ｂは、イコライジング部１２ａと同様にこのマイク入力部から入力された入力音などに基づき上記環境特性情報を算出する。無論、この算出を行う部位はイコライジング部１２ａと共通化すればよい。パラメータ生成部１２ｂは、上記環境特性情報に基づきパラメータを生成する。
【００８０】
本実施形態における無線出力部１４は、無線外部機器の一例である無線スピーカ機器２ｂに対して、出力対象の音声信号及びパラメータ生成部１２ｂから出力されたパラメータ（パラメータを示す信号）を、無線通信で送信する。ここでは、基本的にパラメータ生成部１２ｂから出力されたパラメータを無線出力部１４で無線スピーカ機器２ｂに転送すればよく、実際には無線出力部１４での送信フォーマットに合わせてから送信すればよい。
【００８１】
無線スピーカ機器２ｂは、無線スピーカ機器２ａと基本的に同じ構成であるが、イコライザ、すなわちイコライジング部２５を有する点が異なる。イコライジング部２５は、無線入力部２１で入力された音声信号に対し、同じく入力されたパラメータに基づきイコライジング処理を実行し、ＤＡＣ２２に渡す。このように、本実施形態では、無線スピーカ機器２ｂ側で音質調整を行うことになる。なお、ＤＡＣ２２内にイコライジング部２５を設けることもできる。
【００８２】
そして、本実施形態でも、切替部１３は、（ａ）有線出力部１５，１６から出力対象の音声信号を送信する処理、（ｂ）有線出力部１５，１６からイコライジング部１２ａでイコライジング処理が施された後の音声信号を送信する処理、のいずれの処理を行うかを切り替える。
【００８３】
上記（ｂ）の処理において、スピーカ機器２ｂ内のイコライジング部２５がソース機器１ｂ内のイコライジング部１２ａと同じ仕様のものであれば、無線スピーカ機器２ｂでの音質調整で使用されるパラメータ（つまりパラメータ生成部１２ｂで生成されたパラメータ）と同じパラメータを用いたイコライジング処理を実行することができる。
【００８４】
一方で、スピーカ機器２ｂ内のイコライジング部２５の仕様が、ソース機器１ｂ内のイコライジング部１２ａの仕様と異なる場合は、以下の処理によって、両イコライジング部の音声特性を合わせることができる。まず、ソース機器１ｂがスピーカ機器２ｂに対して、イコライジング部２５の仕様情報を要求し、スピーカ機器２ｂは、仕様情報を返信する。次に、パラメータ生成部１２ｂは、現在のイコライジング部１２ａ用のパラメータから推定される音声特性を算出する。最後にイコライジング部２５の仕様で、同様の音声特性になるパラメータを算出する。
【００８５】
このように、本実施形態でも、第１の実施形態と同様に、いずれの出力経路で出力される音声に対しても、上記（ｂ）の処理により同じ又は連動させたイコライジング処理を行うことができ、有線出力部１５，１６にイコライザを接続する必要もなくなる。
【００８６】
本実施形態における切替部１３も、第１の実施形態と同様に、例えばソース機器１ｂの操作部１７から上述のような切り替えを手動で行うことができる。また、本実施形態でも、第１の実施形態と同様に、切替部１３を上記ＤＳＰに含めることもでき、制御部１０は、このＤＳＰやパラメータ生成部１２ｂを含めたソース機器１ｂの全体の制御を行えばよい。
【００８７】
また、本実施形態のように、無線出力部１４は、無線スピーカ機器２ａに対して、出力対象の音声信号及びパラメータを無線通信で送信することが好ましい。これにより、無線伝送の負荷を少なくなる。この例が好まし点は、後述する第４〜第７の実施形態でも同様である。
【００８８】
また、本実施形態でも、第１の実施形態と同様に、複数の有線出力部（有線出力部１５，１６で例示）のそれぞれに対して別々に切替部１３を接続しておくこともできる。
また、本実施形態においても、スピーカ機器は１つの筐体内に収められるものに限らず、様々な配置に対応することができる。例えば、スピーカ機器２ｂのイコライジング部２５は、ＡＭＰ２３及びスピーカ部２４と同じ筐体に設けられているが、別の筐体に設けられていてもよい。
【００８９】
また、有線出力部１５，１６からの出力方法や無線出力部１４からの出力方法についても、基本的に第１の実施形態で説明した通りである。なお、本実施形態における無線出力部１４では、音声信号だけでなくパラメータも送信することになるが、このパラメータについても同様にブロードキャスト又はマルチキャスト的に送信すればよい。但し、このパラメータについては、常に送信する必要性がなく、例えばスピーカ機器の設置時に送信するか音楽コンテンツの変更毎に送信すれば済むため、通信先を特定してユニキャスト的に無線通信で配信するような構成を採用することや、パラメータ用に別途、ＷｉＦｉ、ＺｉｇＢｅｅ、Ｂｌｕｅｔｏｏｔｈ等の規格の無線通信部を設けることもできる。
【００９０】
（第３の実施形態）
本発明の第３の実施形態について、図５を参照しながら説明する。図５は、本実施形態に係るソース機器を備えた音声伝送システムの一構成例を示すブロック図である。なお、本実施形態について、第１の実施形態との相違点を中心に説明するが、その他の部分については基本的に第１の実施形態と同様である。
【００９１】
図５で例示するように、本実施形態に係るソース機器１ｃは、第１の実施形態に係るソース機器１ａにおいて、有線出力部１６に対し常にイコライジング処理を施す前の音声信号を入力している点が異なる。このようなソース機器１ｃでは、有線出力部１６にスピーカ機器４をケーブル接続するに際し、中間にイコライザ５を接続しておく。なお、コネクタ部にイコライザが内蔵されたケーブルを採用することもできる。
【００９２】
本実施形態に係るソース機器１ｃは、切替部１３で切り替えを行う対象の有線出力部１５の他に、有線出力部１６のような切り替えとは無縁の有線出力部を具備したものである。特に、有線出力部１６に接続されたスピーカ機器４は、デジタル機器であってイコライザを内蔵するか外付けが容易であるが、スピーカ機器３はイコライザが内蔵されていないことが多いアナログ機器であり、このようなアナログ機器に対してのみ切り替えを行うようにしておけば、一定の効果は得られる。但し、有線出力部１６にイコライザ５を介してスピーカ機器４が接続された場合、スピーカ機器４から出力される音声の音質は上記同じ又は連動させたイコライジング処理が施されていないため、聴取者がそのイコライザ５のパラメータを手動で変更する必要がある。
【００９３】
（第４の実施形態）
本発明の第４の実施形態について、図６を参照しながら説明する。図６は、本実施形態に係るソース機器を備えた音声伝送システムの一構成例を示すブロック図である。なお、本実施形態について、第２の実施形態との相違点を中心に説明するが、その他の部分については基本的に第２の実施形態と同様である。
【００９４】
図６で例示するように、本実施形態に係るソース機器１ｄは、第２の実施形態に係るソース機器１ｂにおいて、第３の実施形態と同様の点、つまり有線出力部１６に対し常にイコライジング処理を施す前の音声信号を入力している点が異なる。このようなソース機器１ｄでは、有線出力部１６にスピーカ機器４をケーブル接続するに際し、中間にイコライザ５を接続しておく。なお、イコライザ付きのケーブルを採用することもできる。
【００９５】
本実施形態に係るソース機器１ｄは、切替部１３で切り替えを行う対象の有線出力部１５の他に、有線出力部１６のような切り替えとは無縁の有線出力部を具備したものである。特に、第３の実施形態と同様、アナログ機器であるスピーカ機器３に対してのみ切り替えを行うようにしておけば、一定の効果は得られる。但し、有線出力部１６にイコライザ５を介してスピーカ機器４が接続された場合、スピーカ機器４から出力される音声の音質は上記同じ又は連動させたイコライジング処理が施されていないため、聴取者がそのイコライザ５のパラメータを手動で変更する必要がある。
【００９６】
（第５の実施形態）
本発明の第５の実施形態について、図７を参照しながら説明する。図７は、本実施形態に係るソース機器を備えた音声伝送システムの一構成例を示すブロック図である。なお、本実施形態について、第１の実施形態との相違点を中心に説明するが、その他の部分については基本的に第１の実施形態と同様である。また、その説明を省略するが、本実施形態のこの相違点は、同様に第２〜第４の実施形態に適用させることもできる。
【００９７】
第１〜第４の実施形態における切替部１３は、操作部１７で受け付けたユーザ操作に基づき切り替えを行ったが、本実施形態に係るソース機器１ｅは、このような操作部１７を設けずに（或いは操作部１７を設けた上でさらに）、次の接続判定部１８を備える。なお、接続判定部１８は制御部１０に組み込むこともできる。
【００９８】
接続判定部１８は、有線出力部１５，１６と有線外部機器（この例ではスピーカ機器３，４）との有線接続、並びに無線出力部１４と無線外部機器（この例では無線スピーカ機器２ａ）との無線接続が、有効であるか無効であるかを判定する。この判定については、既存の技術を用いればよい。なお、ＷｉＳＡの仕様による無線接続においても、既存の技術で接続が確立したか否かは確認できる。
【００９９】
そして、本実施形態における切替部１３は、接続判定部１８での判定結果に基づき切り替えを行う。具体的には、接続判定部１８が判定結果を制御部１０に伝送し、制御部１０がその判定結果に従って切替部１３を制御すればよい。これにより、接続状態に応じて自動的に切り替えを行うことができる。
【０１００】
より好ましくは、切替部１３は、有線接続が有効であり且つ無線接続が無効である場合には、上記（ａ）の処理を行うように切り替えを行い、有線接続が有効であり且つ無線接続が有効である場合には、上記（ｂ）の処理を行うように切り替えを行う。
【０１０１】
このような自動切り替えにより、有線接続と無線接続の双方が有効である場合には、自動的に無線接続側と同じイコライジングが有線接続側でもかけることが可能になる。つまり、本実施形態によれば、有線接続と無線接続が双方なされていた場合に、自動的に有線接続側に対して無線接続側と同じ又は連動させたイコライジング処理を実施し、そのイコライジング効果を得ることができる。但し、図５で説明した第３の実施形態や図６で説明した第４の実施形態では、有線出力部１６にイコライザ５を介してスピーカ機器４が接続された場合、スピーカ機器４から出力される音声の音質は上記同じ又は連動させたイコライジング処理が施されていないため、聴取者がそのイコライザ５のパラメータを手動で変更する必要がある。
【０１０２】
（第６の実施形態）
本発明の第６の実施形態について、図８を参照しながら説明する。図８は、本実施形態に係るソース機器を備えた音声伝送システムの一構成例を示すブロック図である。なお、本実施形態について、第１の実施形態との相違点を中心に説明するが、その他の部分については基本的に第１の実施形態と同様である。また、その説明を省略するが、本実施形態のこの相違点は、同様に第２〜第４の実施形態に適用させることもできる。
【０１０３】
図８で例示するように、本実施形態におけるソース機器１ｆは、接続判定部１８に加え、ＵＩ部１９を備える。本実施形態におけるＵＩ部１９は、接続判定部１８での判定により、有線接続が有効な状態であって、無線接続が無効な状態から有効な状態になったことを検知した場合、次の問合せ処理を実行する。
【０１０４】
すなわち、ＵＩ部１９は、上記問合せ処理として、上記（ａ）の処理、上記（ｂ）の処理のいずれの処理を行うかを聴取者に問い合わせ、聴取者からの回答を受け付ける。切替部１３は、ＵＩ部１９で受け付けた回答に従い、切り替えを行う。
【０１０５】
ＵＩ部１９は、このような問い合わせを行い回答の受け付けも行うために、ＵＩ画像を表示するための表示部（又は案内音声を出力する音声出力部）と、操作部とを有する。表示部及び操作部としては第１の実施形態で説明したものと同様であるが、本実施形態では表示させるＵＩ画像が第１の実施形態と異なり、問い合わせ画像となる。
【０１０６】
本実施形態によれば、有線接続側のイコライジング処理の有無について、第５の実施形態のような自動的な処理ではなく、聴取者への確認結果に基づき決定されるため、音声伝送システムとして聴取者の意図に合ったイコライジング処理が可能となる。
【０１０７】
（第７の実施形態）
本発明の第７の実施形態について、説明する。図８のシステムにおいて、ＵＩ部１９の代わりに次の設定部を備える。本実施形態における設定部は、有線接続が有効であり且つ無線接続が有効である場合に上記（ａ）の処理、上記（ｂ）の処理のいずれの処理を行うかを、予め設定する。そして、切替部１３は、上記設定部での設定に従い、切り替えを行う。
【０１０８】
なお、この設定部は、ＵＩ部１９と同様に操作部と表示部を有すると共に、その設定処理自体は制御部１０で担うように構成すればよい。この表示部において設定用のＵＩ画像を表示させ、操作部によりユーザ操作を受け付け、そのユーザ操作の内容を制御部１０に伝えればよい。この設定用のＵＩ画像もメニュー画像として表示させればよい。また、受け付けた内容は制御部１０内に設けたメモリ等に保存しておき、必要に応じて読み出せばよい。なお、本実施形態における表示部及び操作部は、第１，第６の実施形態で説明したものと同様であるが、本実施形態と第１，第６の実施形態とでは表示させるＵＩ画像が異なり、自動判別時の設定を行うための画像となる。
【０１０９】
本実施形態によれば、有線接続側のイコライジング処理の有無について、聴取者による設定に基づき決定されるため、音声伝送システムとして聴取者の意図に合ったイコライジング処理が可能となる。
【０１１０】
（その他）
以上、本発明に係るソース機器及びそれを備えた音声伝送システムについて説明したが、このシステムにおける無線通信に関してはＷｉＳＡで前提としている技術を採用しないこともできる。例えば、非圧縮の音声信号の方が圧縮の音声信号に比べて音質を向上させることができるため好ましいが、出力対象の音声信号は非圧縮の音声信号に限ったものではなく、圧縮された音声信号であってもよい。また、ＷｉＳＡでは、スピーカの１つ１つに無線で音声信号を受信できるＩＣ（Integrated Circuit）チップを搭載しているが、１つのスピーカ機器に複数のイコライジング部を設けてもよい。
【０１１１】
また、図２，図４〜図８で例示したソース機器や外部機器（スピーカ機器等）におけるスピーカ部以外の部位はそれぞれ、例えば上記マイクロプロセッサ（又は上記ＤＳＰ）、メモリ、バス、インターフェイス、リモコン等の周辺装置などのハードウェアと、これらのハードウェア上にて実行可能なソフトウェアとにより実現できる。上記ハードウェアの一部は集積回路／ＩＣチップセットとして搭載することができ、その場合、上記ソフトウェアは上記メモリに記憶しておければよい。また、本発明の各構成要素の全てをハードウェアで構成してもよく、その場合についても同様に、そのハードウェアの一部を集積回路／ＩＣチップセットとして搭載することも可能である。
【０１１２】
また、上述した様々な構成例における機能を実現するためのソフトウェアのプログラムコードを記録した記録媒体を、ソース機器に供給し、各装置内のマイクロプロセッサ又はＤＳＰによりプログラムコードが実行されることによっても、本発明の目的が達成される。この場合、ソフトウェアのプログラムコード自体が上述した様々な構成例の機能を実現することになり、このプログラムコード自体や、プログラムコードを記録した記録媒体（外部記録媒体や内部記憶装置）であっても、そのコードを制御側が読み出して実行することで、本発明を構成することができる。外部記録媒体としては、例えばＣＤ−ＲＯＭ又はＤＶＤ−ＲＯＭなどの光ディスクやメモリカード等の不揮発性の半導体メモリなど、様々なものが挙げられる。内部記憶装置としては、ハードディスクや半導体メモリなど様々なものが挙げられる。また、プログラムコードはインターネットからダウンロードして実行することや、放送波から受信して実行することもできる。
【０１１３】
以上、本発明に係るソース機器について説明したが、音声伝送システムについても説明したように、本発明はソース機器とスピーカ機器を備えた音声伝送システムとしての形態も採り得る。この形態については、ソース機器と共に説明した通りであり、その説明を省略する。
【０１１４】
また、以上の説明において、その処理の手順を説明したように、本発明は、外部機器に対して音声信号をケーブル経由で送信する有線出力部と、他の外部機器に対して音声信号を無線通信で送信する無線出力部と、イコライジング部及び／又はパラメータ生成部と、を備えたソース機器における音質調整方法としての形態も採り得る。
【０１１５】
この音質調整方法は、上記イコライジング部が出力対象の音声信号にイコライジング処理を施すか、若しくは上記パラメータ生成部が上記出力対象の音声信号に対するイコライジング処理用のパラメータを生成するステップと、上記無線出力部が、上記他の外部機器に対して、上記イコライジング処理が施された後の音声信号、若しくは上記出力対象の音声信号及び上記パラメータを、送信するステップと、上記ソース機器の切替部が、（ａ）上記有線出力部から上記出力対象の音声信号を送信する処理、（ｂ）上記有線出力部から上記イコライジング処理が施された後の音声信号を送信する処理、のいずれの処理を行うかを切り替えるステップと、を有する。その他の応用例については、ソース機器及び音声伝送システムについて説明した通りであり、その説明を省略する。
【０１１６】
なお、上記プログラムコード自体は、換言すると、この音質調整方法を、ソース機器側のコンピュータに実行させるためのプログラムである。すなわち、このプログラムは、上記ソース機器側のコンピュータに、出力対象の音声信号にイコライジング処理を施すか、若しくは上記出力対象の音声信号に対するイコライジング処理用のパラメータを生成するステップと、上記他の外部機器に対して、上記イコライジング処理が施された後の音声信号、若しくは上記出力対象の音声信号及び上記パラメータを、送信するステップと、（ａ）上記有線出力部から上記出力対象の音声信号を送信する処理、（ｂ）上記有線出力部から上記イコライジング処理が施された後の音声信号を送信する処理、のいずれの処理を行うかを切り替えるステップと、を実行させるためのプログラムである。その他の応用例については、ソース機器及び音声伝送システムについて説明した通りであり、その説明を省略する。
【０１１７】
以上のように、本発明のソース機器は、外部機器に対して音声信号をケーブル経由で送信する有線出力部と、他の外部機器に対して音声信号を無線通信で送信する無線出力部と、を備えたソース機器であって、出力対象の音声信号にイコライジング処理を施すイコライジング部、及び／又は、前記出力対象の音声信号に対するイコライジング処理用のパラメータを生成するパラメータ生成部を備え、前記無線出力部は、前記他の外部機器に対して、前記イコライジング処理が施された後の音声信号、若しくは前記出力対象の音声信号及び前記パラメータを、送信し、前記ソース機器は、（ａ）前記有線出力部から前記出力対象の音声信号を送信する処理、（ｂ）前記有線出力部から前記イコライジング処理が施された後の音声信号を送信する処理、のいずれの処理を行うかを切り替える切替部を、さらに備えたことを特徴としたものである。これにより、有線出力部と無線出力部の双方を備え、外部機器に対して音声信号を出力するソース機器において、いずれの出力経路で出力される音声に対しても、同じ又は連動させたイコライジング処理を行うことができる。
【０１１８】
また、前記有線出力部と前記外部機器との有線接続、並びに前記無線出力部と前記他の外部機器との無線接続が、有効であるか無効であるかを判定する接続判定部を、さらに備え、前記切替部は、前記接続判定部での判定結果に基づき切り替えを行うことが好ましい。これにより、接続状態に応じて自動的に切り替えを行うことができる。
【０１１９】
特に、前記切替部は、前記有線接続が有効であり且つ前記無線接続が無効である場合には、前記（ａ）の処理を行うように切り替えを行い、前記有線接続が有効であり且つ前記無線接続が有効である場合には、前記（ｂ）の処理を行うように切り替えを行うことが好ましい。これにより、有線接続と無線接続が双方なされていた場合に、自動的に有線接続側に対して無線接続側と同じ又は連動させたイコライジング処理を実施し、そのイコライジング効果を得ることができる。
【０１２０】
また、前記ソース機器は、前記接続判定部での判定の変化に応じて、前記（ａ）の処理、前記（ｂ）の処理のいずれの処理を行うかを聴取者に問い合わせることが好ましい。これにより、有線接続側のイコライジング処理の有無について、聴取者への確認結果に基づき決定されるため、音声伝送システムとして聴取者の意図に合ったイコライジング処理が可能となる。
【０１２１】
また、前記ソース機器は、前記有線接続が有効であり且つ前記無線接続が有効である場合に前記（ａ）の処理、前記（ｂ）の処理のいずれの処理を行うかを、予め設定できることが好ましい。これにより、有線接続側のイコライジング処理の有無について、聴取者による設定に基づき決定されるため、音声伝送システムとして聴取者の意図に合ったイコライジング処理が可能となる。
【０１２２】
また、前記無線出力部は、前記他の外部機器に対して、前記出力対象の音声信号及び前記パラメータを送信することが好ましい。これにより、無線伝送の負荷を少なくなる。
【０１２３】
また、前記出力対象の音声信号は、非圧縮の音声信号であることが好ましい。これにより、圧縮の音声信号に比べて音質を向上させることができる。
【符号の説明】
【０１２４】
１ａ，１ｂ，１ｃ，１ｄ，１ｅ，１ｆ…ソース機器、２ａ，２ｂ…無線スピーカ機器、３，４…スピーカ機器、５…イコライザ、１０…制御部、１１…音声再生部、１２，１２ａ…イコライジング部、１２ｂ…パラメータ生成部、１３…切替部、１４…無線出力部（無線通信部）、１５，１６…有線出力部、１７…操作部、１８…接続判定部、１９…ＵＩ部、２１…無線入力部（無線通信部）、２２，４２…ＤＡＣ、２３，３３，４３…ＡＭＰ、２４，３４，４４…スピーカ部、２５…イコライジング部、３１，４１…有線入力部。
【図１Ａ】
2015126460.tif 000003
【図１Ｂ】
2015126460.tif 000004
【図１Ｃ】
2015126460.tif 000005
【図１Ｄ】
2015126460.tif 000006
【図１Ｅ】
2015126460.tif 000007
【図２】
2015126460.tif 000008
【図３】
2015126460.tif 000009
【図４】
2015126460.tif 000010
【図５】
2015126460.tif 000011
【図６】
2015126460.tif 000012
【図７】
2015126460.tif 000013
【図８】
2015126460.tif 000014